(57)【要約】【課題】撮影場所の選定を人の移動手段で選ぶ場合限られた撮影位置からでなければ撮影出来なかった。これは人が移動出来ない所へ撮影機材を持ち込めないためである。【解決手段】人が移動出来ない空間や場所にロープ・ワイヤーを設置しその配線部分で自由に撮影機材を移動することにより今まで撮影出来ない画像を記録することができる。【選択図】図１
2010128488.tif 000002
【特許請求の範囲】
【請求項１】
撮影場所に色々な方向へロープを設営することにより全ての方向・全ての被写体を撮影可能にする技術を提供するロープ・ワイヤー利用の撮影装置に関するものである。
【請求項２】
建造物の数か所にワイヤー又はロープのとりつけ金具を貼着することによりロープを使った撮影を円滑にする特徴をもつ請求項１に記載のロープ・ワイヤー利用の撮影装置。
【請求項３】
ロープを撮影場所に張る作業を円滑に行う為、管を介してパラシュートや吹き流しを目的の位置方向へ流す技術を用いる請求項１および請求項２に記載のロープ・ワイヤー利用の撮影装置。
【発明の詳細な説明】
【技術分野】
【０００１】    本発明は橋、高速道路、線路などにおける安全確認の為の撮影が出来ない場所でロープやワイヤーを併用して撮影を可能にする技術を提供するためのロープ・ワイヤー利用の撮影装置に関するものである。
【背景技術】
【０００２】  近年安全確認のための撮影を必要とされてきたが現場の立地条件では細部にいたる撮影技術は確立されていない。【０００３】  最近でも、橋、高速道路、線路などの真下からの撮影が出来ない被写体に対して、船上や木の上から撮影を実行し、それでも実施出来ない状況下では、足場を組みあげるような経費や手間のかかる方法、また専用重機を用いてアームの先端で人が撮影する危険な撮影が行われている。【０００４】  又新しい技術としてラジコンへりを利用しての撮影もあるが真上方向の撮影には不向きで建造物の周囲での撮影飛行は危険性がともなう
【発明の開示】
【発明が解決しようとする課題】
【０００５】  近年建造物の安全点検のための現場における撮影がおこなわれているが本来人が立ち入れない場所でも検査する重要性が有る、その作業を行うための対応策として本発明品を使用することにより不可能を可能に出来、詳細な撮影を可能にするロープ・ワイヤー利用の撮影装置を提供する。
【課題を解決するための手段】
【０００６】  上記目的を達成するために本発明のロープ・ワイヤー利用の撮影装置はカメラなど撮影機材を水平安定装置特開２００７−２８９５９２などの取り付け台に装着しその取り付け台を移動可能な構造を持たせることで本体とし、移動手段はロープ・ワイヤーを前後又は左右に張ることですべての位置での撮影を提供できる、又ロープ・ワイヤーの設置方法により左右・上下方向のカメラ移動も可能となり移動手段においても牽引を用いた方法から遠隔操作での自走式を利用することで作業を少人数で可能にできるロープ・ワイヤー利用の撮影装置とする。【０００７】  撮影機材を取り付ける水平安定装置やその装置を包む撮影機材箱はどの形状でも使用可能でその撮影機材箱にロープ・ワイヤーを通すガイド部品を２か所以上粘着することにより撮影機材を前後・左右又は、左右・上下方向への移動を可能とするものである、ガイド部品に抵抗を軽減する滑車などを取り付けた場合  一層スムーズな移動が可能となる。【０００８】  撮影機材の平行移動で被写体を撮影する事も可能ではあるがカメラ本体のアングルの方向を前後左右の可動式にすることにより，必要な方向から撮影が期待出来る。【０００９】  橋の底を横手方向へロープを渡す手段として橋の欄干から底までの長さを超えるパイプの中に先端にあらかじめパラシュウート又は、吹き流しなど気流の抵抗を受ける物を取り付けた状態でロープを通しパイプ内を経由して送り込むことで、風の影響を最小限におさえて横手方向へロープを流す技術を使用することにより安全にロープ・ワイヤー利用の撮影装置を可能にすることができる。【００１０】  本発明のロープ・ワイヤー利用の撮影装置は作業上長いロープやワイヤーを用いるため張る作業の効率を上げる目的で釣り具用の大型電動リールやワイヤー巻取り機械などを利用することでロープなどを短時間で張ることが可能となる。
【発明の効果】
【０００１１】  撮影機材の中にロープ・ワイヤーを利用することで現場までの移動手段や設営時間を最小限にまとめることが出来る【００１２】  又高所でのロープ・ワイヤーを張る手段としてパラシュートや吹き流しを利用することで人が移動できない地点間に安全にロープを渡すことを可能とする【００１３】  ロープ・ワイヤーを空間に張りカメラ機材のガイドとし移動手段にするのでロープ・ワイヤーの設営状況に応じて縦横無尽に移動が可能である又、この方法を利用することにより使用範囲も地上は勿論、空中から水中に至るまで広範囲に撮影出来ることを可能にする。【００１４】  建造物の一部にロープ・ワイヤーの取り付け器具をあらかじめ装備することにより円滑に作業効率を上げることができる。【００１５】  本発明のロープ・ワイヤー利用の撮影装置は軽い素材の利用により機材の移動を簡単にする為ロープ・ワイヤーを利用することにより現場での準備作業を向上させコスト面でも安価で安全に作業が実現することを可能とする。
【発明を実施するための最良の形態】
【実施例】
【００１６】  実施例は、高架橋に本発明のロープ・ワイヤー利用の撮影機材１を設置し、カメラを装備し撮影した場合の実施の形態を図面に従い以下説明する。【００１７】  図１、図２、図５は本発明の斜視図、図３は高架橋に本発明を設置した実施の形態を示す斜視図で図４は本発明の一部の作業方法の斜視図である。【００１８】    １図で示す本発明のロープ・ワイヤー利用の撮影装置１はカメラなど撮影機材１１を水平安定装置１２などの取り付け台に装着しその取り付け台を移動可能な構造を持たせることで本体１とし、移動手段の横手ロープ・ワイヤー２０や縦方向ロープ・ワイヤー２１を前後または左右に張り両側に付属のロープ３２を操作することによりすべての位置での撮影を提供できるものである。【００１９】  ２図では移動手段のロープの一部に使うＴ型移動金具３０を示すものである本発明のロープ・ワイヤー利用の撮影装置１はロープ２１を高架橋４０に単線ではるだけでは横方向の移動が出来ない為にＴ型移動金具３０をロープ２１の中間に設置することによりロープをからませることなく撮影機材箱１０を縦方向の移動を行いながら横移動も可能にするための金具である【００２０】  又本発明のロープ・ワイヤー利用の撮影装置１はロープ・ワイヤーを移動手段として使用する為ロープ・ワイヤーガイド１３部分の抵抗を少なくするとより一層のスムーズな移動が得られる例えば滑車などを利用する事も有効である。
【図面の簡単な説明】
【００２１】
【図１】本発明に係る実施例を示す斜視図である。
【図２】本発明に係る実施例を示す斜視図である。
【図３】本発明を装備した実施の形態を示す側面図である。
【図４】本発明に係る実施例を示す斜視図である。
【図５】本発明に係る実施例を示す斜視図である。
【符号の説明】
【００２２】    １                      ロープ・ワイヤー利用の撮影装置
１０                      撮影機材箱
３０                      Ｔ型移動金具
１１                      カメラ
１２                      水平安定装置
１３                      ロープ・ワイヤーガイド
２０                      横手ロープ・ワイヤー
２１                      縦方向ロープ・ワイヤー
３１                      横手方向ロープ取り付けリング
３２                      Ｔ型移動金具牽引ロープ
４０                      高架橋
４１                      とりつけ金具
５０                      ビニールパイプ
５１                      ロープ
５２                      吹き流し
【図１】
2010128488.tif 000003
【図２】
2010128488.tif 000004
【図３】
2010128488.tif 000005
【図４】
2010128488.tif 000006
【図５】
2010128488.tif 000007